(57)【要約】  【課題】非接触ＩＣチップを利用した非接触端末等での決済可能な自動販売機で、非接触端末決済手段と非接触端末間が決済処理未了状態での取引終了を可能な限り回避し確実に決済処理を行うこと。  【解決手段】非接触端末決済手段４と非接触端末間３での決済処理中に異常が発生し、決済再処理を開始したことを知らせる決済再処理状態を受信した場合、商品選択時間が経過しても決済処理を中断することなく、非接触端末決済手段４での決済内容に応じて確実に商品を搬出することができる。【選択図】図２
2007164234.tif 000002
【特許請求の範囲】
【請求項１】
商品を選択するための商品選択手段と、選択した商品を搬出する搬出手段と、非接触端末と交信してデータを記録再生処理する非接触端末決済手段と、自動販売機全体を制御する制御部とを備え、前記商品選択手段で商品を選択し、前記非接触端末と交信して前記非接触端末決済手段がデータを記録再生処理することで決済処理を行い、この決済処理を前記制御部が前記非接触端末決済手段から受信することで、前記搬出手段に搬出動作をさせる自動販売機において、前記制御部が前記非接触端末決済手段から決済処理結果を受信できない場合、前記制御部は前記非接触端末決済手段から決済再処理を開始したことを知らせる決済再処理状態を受信することで、所定時間経過しても前記非接触端末と前記非接触端末決済手段とを交信可能にしたことを特徴とする自動販売機の制御装置。
【請求項２】
商品を選択するための商品選択手段と、選択した商品を搬出する搬出手段と、非接触端末と常時交信可能な交信手段を有し、前記非接触端末のデータを記録再生処理する非接触端末決済手段と、商品選択を有効とする商品選択時間を記憶し前記非接触端末決済手段に送信する決済制御手段と、前記商品選択手段と前記搬出手段と前記非接触端末決済手段とに接続され前記決済制御手段を有し自動販売機全体を制御する制御部とからなり、前記制御部は前記商品選択手段による商品選択があったと判別したときは、前記非接触端末決済手段に選択商品の決済額を送信し、前記非接触端末決済手段では前記非接触端末に対して決済指示を行うように商品選択時間が経過するまで出力し、決済処理で異常が発生した場合、前記非接触端末決済手段と前記非接触端末間の決済再処理を開始したことを知らせる決済再処理状態を前記制御部が受信し、商品選択時間が経過しても前記受信部は取引終了命令を前記非接触端末決済手段に送信しないことを特徴とする自動販売機の制御装置。
【請求項３】
決済処理未了が発生したと判断した場合、その他の商品の選択を禁止し選択された商品状態を保持することを特徴とする請求項２に記載の自動販売機の制御装置。
【請求項４】
決済処理未了が発生したことを表示する表示手段を備え、前記制御部は決済処理未了が発生したと判断した場合、その状態を前記表示手段に表示させ、前記非接触端末を前記非接触端末決済手段に再度かざすよう誘導することを特徴とする請求項３に記載の自動販売機の制御装置。
【請求項５】
前記非接触端末決済手段で決済再処理中であっても取引終了とする決済再処理待時間を設定及び記憶する設定記憶手段を備え、決済再処理状態を受信し取引終了待機状態であっても決済再処理待時間が経過した場合には取引終了とすることを特徴とする請求項３または４に記載の自動販売機の制御装置。
【請求項６】
決済処理未了発生時の時間や選択商品等の決済処理未了状態を記憶する記憶手段とその記憶した内容を確認できる確認手段とを備え、決済処理未了が発生したと判断した場合、その状態を前記記憶手段に記憶することを特徴とする請求項３から５のいずれか一項に記載の自動販売機の制御装置。
【発明の詳細な説明】
【技術分野】
【０００１】
本発明は、非接触ＩＣカードなど非接触ＩＣチップを利用して決済可能な自動販売機に関し、特にその販売シーケンスに関するものである。
【背景技術】
【０００２】
従来の自動販売機の制御装置には、商品選択用の商品選択手段と、商品を搬出する搬出手段と、電子財布として機能する非接触ＩＣチップを有する非接触端末と無線通信により常時交信可能な交信手段を有し非接触端末のデータを記録再生処理する非接触端末決済手段と、自動販売機全体を制御する制御装置とを備えた自動販売機において、制御装置は待機状態時に商品が選択されたことを検知すると非接触端末決済手段に対して該当商品の金額を通知するとともに、非接触端末決済手段から決済完了の通知を受信すると商品搬出を行う。非接触端末決済手段は制御装置から選択商品の金額の通知を受信すると非接触端末と通信可能状態にするとともに、通信圏内に入った非接触端末との間で前記金額についての決済を行い、決済が完了すると制御装置に決済完了を通知することにより非接触端末での決済を行うものについて開示したものがある（例えば、特許文献１参照）。
【特許文献１】特開２００４−１４５４７１号公報
【発明の開示】
【発明が解決しようとする課題】
【０００３】
しかしながら、前記従来の構成では、非接触端末決済手段が非接触端末を認識し決済処理を開始し非接触端末での金額減算が完了し非接触端末決済手段に減算完了通知を行う際に非接触端末が交信不可能な距離となり決済処理が完了できない決済処理未了状態で、制御装置は商品選択を有効とする商品選択時間が経過した等で取引を中止させるため非接触端末決済手段へ取引終了データを送信すると、非接触端末決済手段は決済処理を中断してしまい非接触端末が保持する金額は減算されているが、制御装置は非接触端末決済手段から決済完了通知を受信できないので商品を搬出することができないという課題を有していた。
【０００４】
本発明は、前記従来の課題を解決するもので、特に非接触ＩＣチップを利用した非接触端末等での決済可能な自動販売機で、非接触端末決済手段と非接触端末間が決済処理未了状態での取引終了を可能な限り回避し確実に決済処理ができる自動販売機の制御装置を提供することを目的としている。
【課題を解決するための手段】
【０００５】
前記従来の課題を解決するために、本発明の自動販売機の制御装置は、非接触端末決済手段と非接触端末間での決済処理で異常が発生し、決済再処理を開始したことを知らせる決済再処理状態を受信した場合、商品選択時間が経過しても取引終了としないようにしたものである。
【０００６】
これによって、非接触端末決済手段と非接触端末間での決済処理で異常が発生し決済再処理を開始した場合に、取引終了データを送信せず、決済処理を中断することなく完了させるがことができる。
【０００７】
また、本発明の自動販売機の制御装置は、決済処理未了が発生したと判断した場合、その他の商品の選択を禁止し選択された商品状態を保持するようにしたものである。
【０００８】
これによって、決済処理未了中は選択された商品状態を保持することで選択商品と決済商品を確実に一致させることができる。
【０００９】
また、本発明の自動販売機の制御装置は、決済処理未了が発生した場合に、その状態を表示するようにしたものである。
【００１０】
これによって、商品購入者に決済処理未了が発生していることを知らせることができ、商品購入者に非接触端末を非接触端末決済手段に再度かざすよう誘導させ確実に決済処理を行うことができる。
【００１１】
また、本発明の自動販売機の制御装置は、決済再処理待時間を設定、変更できるようにしたものである。
【００１２】
これによって、決済再処理受信状態を受信した場合においても、決済再処理待時間が経過した場合に取引終了とすることができる。
【００１３】
また、本発明の自動販売機の制御装置は、決済処理未了が発生した場合に、その状態を記憶し、その内容を確認できるようにしたものである。
【００１４】
これによって、決済処理未了が発生しても、その状態を確認することができるので、金銭の精算処理を確実に行うことができる。
【発明の効果】
【００１５】
本発明の自動販売機の制御装置は、非接触端末決済手段と非接触端末間での決済処理で異常が発生し、決済再処理を開始したことを知らせる決済再処理状態を受信した場合、商品選択時間が経過しても決済処理を中断することなく、決済処理を完了させ決済内容に応じて確実に商品を搬出することができる。
【００１６】
また、本発明の自動販売機の制御装置は、決済処理未了中はその他の商品の選択を禁止するようにしたので、決済処理が完了するまでは選択された商品状態を保持することができ、選択商品と決済商品を確実に一致させることができる。
【発明を実施するための最良の形態】
【００１７】
請求項１に記載の発明は商品を選択するための商品選択手段と、選択した商品を搬出する搬出手段と、非接触端末と交信してデータを記録再生処理する非接触端末決済手段と、自動販売機全体を制御する制御部とを備え、前記商品選択手段で商品を選択し、前記非接触端末と交信して前記非接触端末決済手段がデータを記録再生処理することで決済処理を行い、この決済処理を前記制御部が前記非接触端末決済手段から受信することで、前記搬出手段に搬出動作をさせる自動販売機において、前記制御部が前記非接触端末決済手段から決済処理結果を受信できない場合、前記制御部は前記非接触端末決済手段から決済再処理を開始したことを知らせる決済再処理状態を受信することで、所定時間経過しても前記非接触端末と前記非接触端末決済手段とを交信可能にしたことにより、決済処理を完了させ決済内容に応じて確実に商品を搬出することができる。
【００１８】
請求項２に記載の発明は、商品を選択するための商品選択手段と、選択した商品を搬出する搬出手段と、非接触端末と常時交信可能な交信手段を有し前記非接触端末のデータを記録再生処理する非接触端末決済手段と、商品選択を有効とする商品選択時間を記憶し前記非接触端末決済手段に送信する決済制御手段と、前記商品選択手段と前記搬出手段と前記非接触端末決済手段とに接続され前記決済制御手段を有し自動販売機全体を制御する制御部とからなり、前記制御部は前記商品選択手段による商品選択があったと判別したときは、前記非接触端末決済手段に選択商品の決済額を送信し、前記非接触端末決済手段では前記非接触端末に対して決済指示を行うように商品選択時間が経過するまで出力する。前記制御部は前記非接触端末決済手段から前記非接触端末間での決済処理で異常が発生し決済再処理を開始したことを知らせる決済再処理状態を受信した場合、商品選択時間が経過しても取引終了としないようにしたことにより、商品選択時間経過により決済処理を中断することがなく、決済処理を完了させ決済内容に応じて確実に商品を搬出することができる。
【００１９】
請求項３に記載の発明は、請求項２に記載の発明において、前記制御部を、決済処理未了が発生したと判断した場合、その他の商品の選択を禁止することにより、選択された商品状態が保持され、選択商品と決済商品を確実に一致させることができる。
【００２０】
請求項４に記載の発明は、請求項３に記載の発明において、決済処理未了が発生したことを表示する表示手段を備え、前記制御部は決済処理未了が発生したと判断した場合、その状態を前記表示手段に表示させるようにしたことにより、商品購入者に決済処理未了が発生していることを知らせることができ、商品購入者に非接触端末を非接触端末決済手段に再度かざすよう誘導させ確実に決済処理を行うことができる。
【００２１】
請求項５に記載の発明は、請求項３または４に記載の発明において、前記非接触端末決済手段で決済再処理中であっても取引終了とする決済再処理待時間を設定及び記憶する設定記憶手段を備え、決済再処理状態を受信し取引終了待機状態であっても決済再処理待時間が経過した場合に確実に決済処理を終了することができる。
【００２２】
請求項６に記載の発明は、請求項３から５のいずれか一項に記載の発明において、決済処理未了発生時の時間や選択商品等の決済処理未了状態を記憶する記憶手段とその記憶した内容を確認できる確認手段とを備え、決済処理未了が発生したと判断した場合に、その状態を前記記憶手段に記憶するようにしたので、決済処理未了が発生しても、その状態を確認することができ、金銭の精算処理を確実に行うことができる。
【００２３】
以下、本実施の形態について、図面を参照しながら説明する。なお、この実施の形態によって本発明が限定されるものではない。
【００２４】
（実施の形態１）
図１は、本発明の実施の形態１による自動販売機の制御装置の機能ブロック図である。図２は、同実施の形態の自動販売機の制御装置の動作を示すフローチャートである。
【００２５】
図１において、商品を選択するための商品選択手段１と、選択した商品を搬出する搬出手段２と、電子財布として機能する非接触ＩＣチップを有する非接触端末３と、非接触端末３と常時交信可能な交信手段を有し非接触端末３のデータを記録再生処理する非接触端末決済手段４と、商品選択を有効とする商品選択時間を記憶し前記非接触端末決済手段に送信する決済制御手段５と、商品選択手段１と搬出手段２と非接触端末決済手段４とに接続され決済制御手段５を有し自動販売機全体を制御する制御部６ａとからなり、制御部６ａは非接触端末決済手段から決済再処理状態を受信した場合、決済処理未了が発生したと判断し、商品選択時間が経過しても取引終了とせず決済結果を待つ。
【００２６】
以上のように構成された自動販売機の制御装置について、以下その動作を説明する。
【００２７】
制御部６ａは商品選択手段１による商品選択があったかを判定し（ＳＴＥＰ１）、商品選択があった場合、非接触端末決済手段４に選択商品の決済額を送信し（ＳＴＥＰ２）、非接触端末決済手段４は選択商品の決済額を受信すると非接触端末３との通信を可能とし（ＳＴＥＰ３）、非接触端末３が通信圏内に入った時点で決済処理を開始する（ＳＴＥＰ４）。制御部６ａは決済結果の受信有無（ＳＴＥＰ５）、決済再処理状態の受信の有無を（ＳＴＥＰ６）、商品選択時間が経過するまで待ち（ＳＴＥＰ７）、決済結果を受信した場合、決済結果に応じて搬出動作を行う（ＳＴＥＰ８）。
【００２８】
一方、決済再処理状態を受信した場合、決済処理未了が発生したと判断し取引終了とはせず、その他の商品の選択を禁止し商品選択された状態を保持し（ＳＴＥＰ９）、さらに決済結果の受信有無を待ち（ＳＴＥＰ１０）、決済結果を受信した場合、決済結果に応じて搬出動作を行う（ＳＴＥＰ１１）。
【００２９】
以上のように本実施の形態の自動販売機の制御装置によれば、非接触端末決済手段４と非接触端末間３での決済処理中に異常が発生し、決済再処理を開始したことを知らせる決済再処理状態を受信した場合、商品選択時間が経過しても決済処理を中断することなく、決済処理を完了させ決済内容に応じて確実に商品を搬出することができる。
【００３０】
（実施の形態２）
図３は、本発明の実施の形態２による自動販売機の制御装置の機能ブロック図である。図４は、同実施の形態の自動販売機の制御装置の動作を示すフローチャートである。なお実施の形態１と同一構成のものは、同一符号を付してその詳細な説明を省略する。
【００３１】
図３において、決済処理未了が発生したことを表示する表示手段７を備え、制御部６ｂは決済処理未了が発生したと判断した場合、その状態を表示手段７に表示させる。
【００３２】
以上のように構成された自動販売機の制御装置について、以下その動作を説明する。
【００３３】
制御部６ｂは非接触端末決済手段４が決済処理を開始し（ＳＴＥＰ４）、決済結果の受信有無（ＳＴＥＰ５）、決済再処理状態の受信の有無を（ＳＴＥＰ６）、商品選択時間が経過するまで待ち（ＳＴＥＰ７）、決済結果を受信した場合、決済結果に応じて搬出動作を行う（ＳＴＥＰ８）。
【００３４】
一方、決済再処理状態を受信した場合、決済処理未了が発生したと判断し取引終了とはせず、その状態を表示手段７に表示するとともに（ＳＴＥＰ２１）、その他の商品の選択を禁止し商品選択された状態を保持し（ＳＴＥＰ９）、さらに決済結果の受信有無を待ち（ＳＴＥＰ１０）、決済結果を受信した場合、決済結果に応じて搬出動作を行う（ＳＴＥＰ１１）。
【００３５】
以上のように本実施の形態の自動販売機の制御装置によれば、決済処理未了状態を表示するようにしたので、商品購入者に決済処理未了が発生していることを知らせることができ、商品購入者に非接触端末３を非接触端末決済手段４に再度かざすよう誘導させ確実に決済処理を行うことができる。
【００３６】
（実施の形態３）
図５は、本発明の実施の形態３による自動販売機の制御装置の機能ブロック図である。図６は、同実施の形態の自動販売機の制御装置の動作を示すフローチャートである。なお実施の形態１〜２と同一構成のものは、同一符号を付してその詳細な説明を省略する。
【００３７】
図５において、非接触端末決済手段で決済再処理中であっても取引終了とする決済再処理待時間を設定及び記憶する設定記憶手段８を備え、制御部６ｃは、決済再処理状態を受信した状態であっても決済再処理待時間が経過した場合には取引終了とする。
【００３８】
以上のように構成された自動販売機の制御装置について、以下その動作を説明する。
【００３９】
制御部６ｃは設定記憶手段８にて決済再処理待時間が設定されたかを判定し（ＳＴＥＰ３１）、設定された場合、その時間を設定記憶手段８に記憶する（ＳＴＥＰ３２）。非接触端末決済手段４が決済処理を開始し（ＳＴＥＰ４）、決済結果の受信有無（ＳＴＥＰ５）、決済再処理状態の受信の有無を（ＳＴＥＰ６）、商品選択時間が経過するまで待ち（ＳＴＥＰ７）、決済結果を受信した場合、決済結果に応じて搬出動作を行う（ＳＴＥＰ８）。
【００４０】
一方、決済再処理状態を受信した場合、決済処理未了が発生したと判断し取引終了とはせず、その他の商品の選択を禁止し商品選択された状態を保持し（ＳＴＥＰ９）、さらに決済結果の受信有無を（ＳＴＥＰ１０）、設定記憶手段８に記憶されている決済再処理待時間が経過するまで待ち（ＳＴＥＰ３３）、決済結果を受信した場合、決済結果に応じて搬出動作を行う（ＳＴＥＰ１１）。
【００４１】
以上のように本実施の形態の自動販売機の制御装置によれば、決済再処理状態を受信し取引終了待機状態であっても決済再処理待時間が経過した場合に確実に決済処理を終了することができる。
【００４２】
（実施の形態４）
図７は、本発明の実施の形態４による自動販売機の制御装置の機能ブロック図である。図８は、同実施の形態の自動販売機の制御装置の動作を示すフローチャートである。なお実施の形態１〜３と同一構成のものは、同一符号を付してその詳細な説明を省略する。
【００４３】
図７において、決済処理未了発生時の時間や選択商品等の決済処理未了状態を記憶する記憶手段９と、その記憶した内容を確認できる確認手段１０とを備え、制御部６ｄは決済処理未了が発生したと判断した場合、その状態を記憶手段９に記憶する。
【００４４】
以上のように構成された自動販売機の制御装置について、以下その動作を説明する。
【００４５】
制御部６ｄは決済結果が受信できたかを判定し（ＳＴＥＰ４１）、決済結果を受信した場合、決済結果に応じて搬出動作を行う（ＳＴＥＰ４２）。一方、決済結果が受信できない場合、決済再処理状態を受信したかどうかを判定し（ＳＴＥＰ４３）、受信していれば決済処理未了が発生したと判断しその時間や選択商品等の決済処理未了状態を記憶手段９に記憶する（ＳＴＥＰ４４）。
【００４６】
次に確認手段１０が操作されたかを判定し（ＳＴＥＰ４５）、操作された場合、記憶手段９に記憶している内容を確認手段１０に表示する（ＳＴＥＰ４６）。
【００４７】
以上のように本実施の形態の自動販売機の制御装置によれば、決済処理未了状態を記憶し、内容を確認できるようにしたので、決済処理未了が発生した場合でも、その状態を確認することができ、金銭の精算処理を確実に行うことができる。
【産業上の利用可能性】
【００４８】
以上のように、本発明にかかる自動販売機の制御装置は、商品選択時間が経過しても決済処理を中断することなく、決済処理を完了させ決済内容に応じて確実に商品を搬出することができるので、決済処理を非接触式で行う自動販売機に適用できる。
【図面の簡単な説明】
【００４９】
【図１】本発明の実施の形態１による自動販売機の制御装置の機能ブロック図
【図２】同実施の形態による自動販売機の制御装置の動作を示すフローチャート
【図３】本発明の実施の形態２による自動販売機の制御装置の機能ブロック図
【図４】同実施の形態による自動販売機の制御装置の動作を示すフローチャート
【図５】本発明の実施の形態３による自動販売機の制御装置の機能ブロック図
【図６】同実施の形態による自動販売機の制御装置の動作を示すフローチャート
【図７】本発明の実施の形態４による自動販売機の制御装置の機能ブロック図
【図８】同実施の形態による自動販売機の制御装置の動作を示すフローチャート
【符号の説明】
【００５０】
１    商品選択手段
２    搬出手段
３    非接触端末
４    非接触端末決済手段
５    決済制御手段
６ａ，６ｂ，６ｃ，６ｄ  制御部
７    表示手段
８    設定記憶手段
９    記憶手段
１０  確認手段
【図１】
2007164234.tif 000003
【図２】
2007164234.tif 000004
【図３】
2007164234.tif 000005
【図４】
2007164234.tif 000006
【図５】
2007164234.tif 000007
【図６】
2007164234.tif 000008
【図７】
2007164234.tif 000009
【図８】
2007164234.tif 000010
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
商品を選択するための商品選択手段と、選択した商品を搬出する搬出手段と、選択された商品の決済額を受信すると非接触端末との通信を可能とする非接触端末決済手段と、前記非接触端末が前記非接触端末決済手段の通信圏内で通信可能となった時点で、決済処理を開始し、商品選択を有効とする商品選択時間が経過するまでに決済結果を受信する制御部を備え、前記制御部が決済結果を受信して、前記搬出手段によって商品の搬出を行う自動販売機であって、前記非接触端末決済手段から前記非接触端末が通信途中に交信不可能な距離に外された場合でも、前記制御部は前記非接触端末決済手段から決済再処理を開始したことを知らせる決済再処理状態を受信することで、商品選択時間が経過しても前記非接触端末と前記非接触端末決済手段とを交信可能にしたものであって、前記決済再処理状態中は、前記商品選択時間中に商品選択された状態を保持してその他の商品の選択を禁止することを特徴とする自動販売機の制御装置。
【請求項２】
決済処理未了が発生したことを表示する表示手段を備え、前記制御部は決済処理未了が発生したと判断した場合、その状態を前記表示手段に表示させ、前記非接触端末を前記非接触端末決済手段に再度かざすよう誘導することを特徴とする請求項１に記載の自動販売機の制御装置。
【請求項３】
前記非接触端末決済手段で決済再処理中であっても取引終了とする決済再処理待時間を設定及び記憶する設定記憶手段を備え、決済再処理状態を受信し取引終了待機状態であっても決済再処理待時間が経過した場合には取引終了とすることを特徴とする請求項１または２に記載の自動販売機の制御装置。
【請求項４】
決済処理未了発生時の時間や選択商品等の決済処理未了状態を記憶する記憶手段とその記憶した内容を確認できる確認手段とを備え、決済処理未了が発生したと判断した場合、その状態を前記記憶手段に記憶することを特徴とする請求項１から３いずれか一項に記載の自動販売機の制御装置。
【手続補正２】
【補正対象書類名】明細書
【補正対象項目名】０００５
【補正方法】変更
【補正の内容】
【０００５】
上記従来の課題を解決するために、本発明の自動販売機の制御装置は、商品を選択するための商品選択手段と、選択した商品を搬出する搬出手段と、選択された商品の決済額を受信すると非接触端末との通信を可能とする非接触端末決済手段と、前記非接触端末が前記非接触端末決済手段の通信圏内で通信可能となった時点で、決済処理を開始し、商品選択を有効とする商品選択時間が経過するまでに決済結果を受信する制御部を備え、前記制御部が決済結果を受信して、前記搬出手段によって商品の搬出を行う自動販売機であって、前記非接触端末決済手段から前記非接触端末が通信途中に交信不可能な距離に外された場合でも、前記制御部は前記非接触端末決済手段から決済再処理を開始したことを知らせる決済再処理状態を受信することで、商品選択時間が経過しても前記非接触端末と前記非接触端末決済手段とを交信可能にしたものであって、前記決済再処理状態中は、前記商品選択時間中に商品選択された状態を保持してその他の商品の選択を禁止するものである。
【手続補正３】
【補正対象書類名】明細書
【補正対象項目名】００１７
【補正方法】変更
【補正の内容】
【００１７】
請求項１に記載の発明は、商品を選択するための商品選択手段と、選択した商品を搬出する搬出手段と、選択された商品の決済額を受信すると非接触端末との通信を可能とする非接触端末決済手段と、前記非接触端末が前記非接触端末決済手段の通信圏内で通信可能となった時点で、決済処理を開始し、商品選択を有効とする商品選択時間が経過するまでに決済結果を受信する制御部を備え、前記制御部が決済結果を受信して、前記搬出手段によって商品の搬出を行う自動販売機であって、前記非接触端末決済手段から前記非接触端末が通信途中に交信不可能な距離に外された場合でも、前記制御部は前記非接触端末決済手段から決済再処理を開始したことを知らせる決済再処理状態を受信することで、商品選択時間が経過しても前記非接触端末と前記非接触端末決済手段とを交信可能にしたものであって、前記決済再処理状態中は、前記商品選択時間中に商品選択された状態を保持してその他の商品の選択を禁止することで、所定時間経過しても前記非接触端末と前記非接触端末決済手段とを交信可能にしたことにより、決済処理を完了させ決済内容に応じて確実に商品を搬出することができ、決済処理未了中は、その他の商品の選択を禁止することにより、選択された商品状態が保持され、選択商品と決済商品を確実に一致させることができる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
請求項２に記載の発明は、請求項１に記載の発明において、決済処理未了が発生したことを表示する表示手段を備え、前記制御部は決済処理未了が発生したと判断した場合、その状態を前記表示手段に表示させるようにしたことにより、商品購入者に決済処理未了が発生していることを知らせることができ、商品購入者に非接触端末を非接触端末決済手段に再度かざすよう誘導させ確実に決済処理を行うことができる。
【手続補正７】
【補正対象書類名】明細書
【補正対象項目名】００２１
【補正方法】変更
【補正の内容】
【００２１】
請求項３に記載の発明は、請求項１または２に記載の発明において、前記非接触端末決済手段で決済再処理中であっても取引終了とする決済再処理待時間を設定及び記憶する設定記憶手段を備え、決済再処理状態を受信し取引終了待機状態であっても決済再処理待時間が経過した場合に確実に決済処理を終了することができる。
【手続補正８】
【補正対象書類名】明細書
【補正対象項目名】００２２
【補正方法】変更
【補正の内容】
【００２２】
請求項４に記載の発明は、請求項１から３のいずれか一項に記載の発明において、決済処理未了発生時の時間や選択商品等の決済処理未了状態を記憶する記憶手段とその記憶した内容を確認できる確認手段とを備え、決済処理未了が発生したと判断した場合に、その状態を前記記憶手段に記憶するようにしたので、決済処理未了が発生しても、その状態を確認することができ、金銭の精算処理を確実に行うことができる。